(57)【特許請求の範囲】
【請求項１】
複数の綴杆部と、前記綴杆部を連結する軸受部と、前記綴杆部を連結して前記綴杆部を構成する綴杆を開閉させるときの中心となる軸部とを備える綴具であって、
前記綴杆部を構成する綴杆は、一対の綴杆が向き合うように、前記綴杆部を連結する軸受部及び軸部の各々にその長手方向に適宜な間隔をおいて、軸受部及び軸部の外側部ないし上側部から突設され、
前記軸受部は、綴杆ののびる方向と直交する方向にのびる長さと綴杆ののびる方向に連続する太さとを有し、綴杆の基部に連設され且つ複数の綴杆を連結するように複数の綴杆に架設されるとともに、軸部を装填するための円弧状の軸受凹部を長手方向にのびるように形成され、
前記軸部は、綴杆ののびる方向に直交する方向にのびる長さと綴杆ののびる方向に連続する太さとを有し、長手方向に連続する輪郭の一部が円弧状で、綴杆の基部と連設され且つ複数の綴杆を連設するように複数の綴杆に架設され、該円弧状の領域において、前記開口部から軸受部の内面が円弧状で長手方向にのびる軸受凹部に揺動自在に嵌合され、
軸部は、前記綴杆の先端を合わせて閉鎖するとき及び綴杆の先端を離間させるときに回転中心となり、長手方向に綴杆部が移動することをできるように構成された、綴具。
【請求項２】
綴杆部の基部に連設された第１受け部の収容部と綴杆部の基部に連設された第２受け部の収容部との間に、
前記軸部の長手方向に圧縮し且つ弾発力をかける弾発部材が介装され、
前記第１受け部及び第２受け部並びに弾発部材は、前記綴杆の先端を合わせて閉鎖するとき及び綴杆の先端を離間させるときに回転中心となり、軸受部は、綴杆部に綴じられたリーフを綴杆に沿って捲りかえすことができるように構成された、請求項１に記載の綴具。
【請求項３】
軸部及び／又は第１ないし第２受け部は、閉じられた綴杆の開くことを阻止する軸部回転規制部を端部に突設され、
前記軸部回転規制部は、綴杆部が閉じられたときに綴杆の開く方向とは反対側の端縁に係止される面を備えた、請求項１又は請求項２に記載の綴具。
【請求項４】
前記軸受部並びに第１受け部及び第２受け部の輪郭は、略々同一で、前記綴杆の先端を合わせて閉鎖するとき及び綴杆の先端を離間させるときに回転中心となり、軸受部は、綴杆部に綴じられたリーフを綴杆に沿って捲りかえすことができるように構成された、請求項１ないし請求項３のいずれかに記載の綴具。
【請求項５】
前記軸受部は、その側面に、綴杆の開き角度をリーフの挿入し易い角度に規制するための開き角規制部を形成され、
軸部と一方の綴杆の先端及び他方の綴杆の先端とを結ぶ線のなす角度は、鈍角とならないように構成された、請求項１ないし請求項４のいずれかに記載の綴具。
【請求項６】
軸受部は、軸部を装填するための開口部を側面に形成され、該開口部に続いて軸受凹部を形成され、
軸部は、前記開口部から軸受凹部に嵌合された、請求項１ないし請求項５のいずれかに記載の綴具。
【請求項７】
前記軸部は、複数の綴杆の間において綴具の長さ方向にのびる中実柱状で、綴杆に連続して綴杆と一体的に形成され、且つ前記軸受部は、複数の綴杆の間において綴具の長さ方向にのびる中実半円筒状で、綴杆に連続して綴杆と一体的に形成された、請求項１ないし請求項６のいずれかに記載の綴具。
【発明の詳細な説明】
【技術分野】
【０００１】
この発明は、綴具に関するものであり、特に、例えばセルリング式ノート又は綴じ穴のあるリーフを綴じる手帳類に用いられる綴具である。
【背景技術】
【０００２】
従来、リング状の部材を用いて、穴の開いたリーフを綴じていたノートは、そのリングの形状に沿って、３６０°リーフを広げること、すなわち開くだけでなく、リーフを折り返しノートの表面側と裏面側とを重ねることができ、１８０度しか開かないノートと比して半分のスペースで活用することができた。しかし、このセルリング式ノートは、リーフの差し替えができない欠点があった。
一方、特許第２５２８２８９号及び実開平７−１７５７８号の綴具を用いた手帳、すなわちリーフを綴じる綴杆部が開閉可能な手帳は、リーフの差し替えが可能である。
【先行技術文献】
【特許文献】
【０００３】
【特許文献１】特許第２５２８２８９号
【特許文献２】実開平７−１７５７８号
【発明の概要】
【発明が解決しようとする課題】
【０００４】
しかしながら、特許第２５２８２８９号の綴具は、所要枚数の紙葉を綴って形成された紙葉綴の複数部がコ字形状の表紙内部に収容されてなる手帳であって、この表紙の背表紙部分が伸縮性素材で形成され、この背表紙部分の内側表面に沿って複数のゴム紐がその一端を背表紙の上端近傍に他端を背表紙の下端近傍に固定されて平行に張架され、このゴム紐と背表紙部分との間で前記紙葉綴の綴合わせ部分が挾持されてなる多用途手帳であるために、リーフの差し換えに比較的手間がかかり、１８０度しか開かない。
また、実開平７−１７５７８号の綴具は、複数の綴環を起立した第１部材と第２部材とを共通の軸線で枢着している。したがって、第１部材と第２部材とは分離しないが、綴環１５，１７の基部に複数の綴環を連結する棒状の連結部を形成し、その連結部の内側面から張出部２３を突設しているために、例えば、机の上に置いて綴具を開こうとしても、綴環の基部の外側が机の面に突き出たり、綴環が充分開かず、リーフの出し入れが比較的困難である。
それゆえに、この発明の主たる目的は、リーフの差し換えをし易いように綴杆を開き易く且つ閉じ易い綴具を提供することである。
【課題を解決するための手段】
【０００５】
この発明にかかる綴じ具は、複数の綴杆部と、前記綴杆部を連結する軸受部と、前記綴杆部を連結して前記綴杆部を構成する綴杆を開閉させるときの中心となる軸部とを備える綴具であって、前記綴杆部を構成する綴杆は、一対の綴杆が向き合うように、前記綴杆部を連結する軸受部及び軸部の各々にその長手方向に適宜な間隔をおいて、軸受部及び軸部の外側部ないし上側部から突設され、前記軸受部は、綴杆ののびる方向と直交する方向にのびる長さと綴杆ののびる方向に連続する太さとを有し、綴杆の基部に連設され且つ複数の綴杆を連結するように複数の綴杆に架設されるとともに、軸部を装填するための円弧状の軸受凹部を長手方向にのびるように形成され、前記軸部は、綴杆ののびる方向に直交する方向にのびる長さと綴杆ののびる方向に連続する太さとを有し、長手方向に連続する輪郭の一部が円弧状で、綴杆の基部と連設され且つ複数の綴杆を連設するように複数の綴杆に架設され、該円弧状の領域において、前記開口部から軸受部の内面が円弧状で長手方向にのびる軸受凹部に揺動自在に嵌合され、軸部は、前記綴杆の先端を合わせて閉鎖するとき及び綴杆の先端を離間させるときに回転中心となり、長手方向に綴杆部が移動することをできるように構成された、綴具である。
この発明の請求項２にかかる綴具は、綴杆部の基部に連設された第１受け部の収容部と綴杆部の基部に連設された第２受け部の収容部との間に、前記軸部の長手方向に圧縮し且つ弾発力をかける弾発部材が介装され、前記第１受け部及び第２受け部並びに弾発部材は、前記綴杆の先端を合わせて閉鎖するとき及び綴杆の先端を離間させるときに回転中心となり、軸受部は、綴杆部に綴じられたリーフを綴杆に沿って捲りかえすことができるように構成された、請求項１に記載の綴具である。
この発明の請求項３にかかる綴具は、軸部及び／又は第１ないし第２受け部は、閉じられた綴杆の開くことを阻止する軸部回転規制部を端部に突設され、前記軸部回転規制部は、綴杆部が閉じられたときに綴杆の開く方向とは反対側の端縁に係止される面を備えた、請求項１又は請求項２に記載の綴具である。
この発明の請求項４にかかる綴具は、前記軸受部並びに第１受け部及び第２受け部の輪郭は、略々同一で、前記綴杆の先端を合わせて閉鎖するとき及び綴杆の先端を離間させるときに回転中心となり、軸受部は、綴杆部に綴じられたリーフを綴杆に沿って捲りかえすことができるように構成された、請求項１ないし請求項３のいずれかに記載の綴具である。
この発明の請求項５にかかる綴具は、前記軸受部は、その側面に、綴杆の開き角度をリーフの挿入し易い角度に規制するための開き角規制部を形成され、軸部と一方の綴杆の先端及び他方の綴杆の先端とを結ぶ線のなす角度は、鈍角とならないように構成された、請求項１ないし請求項４のいずれかに記載の綴具である。
この発明の請求項６にかかる綴具は、軸受部は、軸部を装填するための開口部を側面に形成され、該開口部に続いて軸受凹部を形成され、軸部は、前記開口部から軸受凹部に嵌合された、請求項１ないし請求項５のいずれかに記載の綴具である。
この発明の請求項７にかかる綴具は、前記軸部は、複数の綴杆の間において綴具の長さ方向にのびる中実柱状で、綴杆に連続して綴杆と一体的に形成され、且つ前記軸受部は、複数の綴杆の間において綴具の長さ方向にのびる中実半円筒状で、綴杆に連続して綴杆と一体的に形成された、請求項１ないし請求項６のいずれかに記載の綴具である。
【発明の効果】
【０００６】
この発明にかかる綴具は、複数の綴杆部と、前記綴杆部を連結する軸受部と、前記綴杆部を連結して前記綴杆部を構成する綴杆を開閉させるときの中心となる軸部とを備える綴具であって、前記綴杆部を構成する綴杆は、一対の綴杆が向き合うように、前記綴杆部を連結する軸受部及び軸部の各々にその長手方向に適宜な間隔をおいて、軸受部及び軸部の外側部ないし上側部から突設され、前記軸受部は、綴杆ののびる方向と直交する方向にのびる長さと綴杆ののびる方向に連続する太さとを有し、綴杆の基部に連設され且つ複数の綴杆を連結するように複数の綴杆に架設されるとともに、軸部を装填するための円弧状の軸受凹部を長手方向にのびるように形成され、前記軸部は、綴杆ののびる方向に直交する方向にのびる長さと綴杆ののびる方向に連続する太さとを有し、長手方向に連続する輪郭の一部が円弧状で、綴杆の基部と連設され且つ複数の綴杆を連設するように複数の綴杆に架設され、該円弧状の領域において、前記開口部から軸受部の内面が円弧状で長手方向にのびる軸受凹部に揺動自在に嵌合され、軸部は、前記綴杆の先端を合わせて閉鎖するとき及び綴杆の先端を離間させるときに回転中心となり、長手方向に綴杆部が移動することをできるように構成されているので、リーフの差し換えをし易いように綴杆を開き易く且つ閉じ易い綴具を提供することができる。
この発明の請求項２にかかる発明によれば、綴杆部の基部に連設された第１受け部の収容部と綴杆部の基部に連設された第２受け部の収容部との間に、前記軸部の長手方向に圧縮し且つ弾発力をかける弾発部材が介装され、前記第１受け部及び第２受け部並びに弾発部材は、前記綴杆の先端を合わせて閉鎖するとき及び綴杆の先端を離間させるときに回転中心となり、軸受部は、綴杆部に綴じられたリーフを綴杆に沿って捲りかえすことができるように構成されているので、綴杆部の開閉は容易であり、綴杆部に綴じられたリーフを綴杆に沿って捲ることができるノートや手帳類となる。
この発明の請求項３にかかる発明によれば、軸部及び／又は第１ないし第２受け部は、閉じられた綴杆の開くことを阻止する軸部回転規制部を端部に突設され、前記軸部回転規制部は、綴杆部が閉じられたときに綴杆の開く方向とは反対側の端縁に係止される面を備えているので、閉じられた綴杆部が不用意に開くことがない。
この発明の請求項４にかかる発明によれば、前記軸受部並びに第１受け部及び第２受け部の輪郭は、略々同一で、前記綴杆の先端を合わせて閉鎖するとき及び綴杆の先端を離間させるときに回転中心となり、軸受部は、綴杆部に綴じられたリーフを綴杆に沿って捲りかえすことができるように構成されているので、リーフを綴杆部に沿って捲ることができる。
この発明の請求項５にかかる発明によれば、前記軸受部は、その側面に、綴杆の開き角度をリーフの挿入し易い角度に規制するための開き角規制部を形成され、軸部と一方の綴杆の先端及び他方の綴杆の先端とを結ぶ線のなす角度は、鈍角とならないように構成されているので、綴杆部へのリーフの差し換えが容易である。
この発明の請求項６にかかる発明によれば、軸受部は、軸部を装填するための開口部を側面に形成され、該開口部に続いて軸受凹部を形成され、軸部は、前記開口部から軸受凹部に嵌合されているので、リーフの差し換えをし易いように綴杆を開き易く且つ閉じ易い綴具を提供することができる。
この発明の請求項７にかかる発明によれば、前記軸部は、複数の綴杆の間において綴具の長さ方向にのびる中実柱状で、綴杆に連続して綴杆と一体的に形成され、且つ前記軸受部は、複数の綴杆の間において綴具の長さ方向にのびる中実半円筒状で、綴杆に連続して綴杆と一体的に形成されているので、綴具の小型化を図っても、堅牢な綴具を構成できる。
【０００７】
この発明の上述の目的、その他の目的、特徴及び利点は、図を参照して行う以下の発明を実施するための最良の形態の説明から一層明らかとなろう。
この明細書及び特許請求の範囲において、リーフは、用紙、合成樹脂製ポケット、表紙等の被綴じ物の総称である。
この明細書及び特許請求の範囲において、綴具の長さ方向（綴杆が並び、軸受部及び軸部がのびる方向）における手前側を「手前側」といい、向こう側を「向こう側」といい、略円環状の綴杆部の径方向で長さ方向と直交する方向を「幅方向」といい、略円環状の綴杆部の下側（軸部及び軸受部が形成された基部側）から、上側（綴杆係止部が形成された頂部側）に至る高さ方向を「高さ方向」という。
【図面の簡単な説明】
【０００８】
【図１】この発明にかかる綴具を用いた手帳の斜視図解図である。
【図２Ａ】この発明にかかる綴具の全体の斜視図解図である。
【図２Ｂ】この発明にかかる綴具の部分的に拡大した斜視図解図である。
【図３】この発明にかかる綴具の斜視図解図であり、（Ａ）は全体の図で、（Ｂ）（Ｃ）は半割杆の図である。
【図４】第１綴具部材の斜視図解図であり、（Ａ）は右側の図であり、（Ｂ）は左側の図である。
【図５】第２綴具部材の斜視図解図であり、（Ａ）は右側の図であり、（Ｂ）は左側の図である。
【図６Ａ】この発明にかかる綴具を分解した状態における斜視図解図である。
【図６Ｂ】第１綴具部材と第２綴具部材とを結合する方法を示す斜視図解図である。
【図７】閉じた状態における綴具の正面図解図である。
【図８】閉じた状態における綴具の背面図解図である。
【図９Ａ】図７Ａ−Ａ部分断面図解図である。
【図９Ｂ】図７Ｂ−Ｂ断面図解図である。
【図９Ｃ】図７Ｃ−Ｃ断面図解図である。
【図１０】開き始めた状態における綴具の正面図解図である。
【図１１】開き始めた状態における綴具の背面図解図である。
【図１２Ａ】図１０Ａ−Ａ部分断面図解図である。
【図１２Ｂ】図１０Ｂ−Ｂ断面図解図である。
【図１２Ｃ】図１０Ｃ−Ｃ断面図解図である。
【図１３】手帳のリーフの開き方を示す平面図解図であり、（Ａ）は閉じた状態の図で、（Ｂ）は半分捲った状態の図で、（Ｃ）は３６０度捲った状態の図である。
【図１４】綴具の説明図である。
【図１５】手帳の説明図であり、（Ａ）は全体の図であり、（Ｂ）はリーフの図である。
【発明を実施するための形態】
【０００９】
図１は、この発明にかかる綴具を用いた手帳の斜視図解図であり、図２Ａは、この発明にかかる綴具の全体の斜視図解図であり、図２Ｂは、この発明にかかる綴具の部分的に拡大した斜視図解図である。図３は、この発明にかかる綴具の斜視図解図であり、（Ａ）は全体の図で、（Ｂ）（Ｃ）は半割杆の図である。図４は、第１綴具部材の斜視図解図であり、（Ａ）は右側の図であり、（Ｂ）は左側の図であり、図５は、第２綴具部材の斜視図解図であり、（Ａ）は右側の図であり、（Ｂ）は左側の図である。図６は、この発明にかかる綴具を分解した状態における斜視図解図であり、図７は、閉じた状態における綴具の正面図解図であり、図８は、閉じた状態における綴具の背面図解図である。図９Ａは、図７Ａ−Ａ部分断面図解図であり、図９Ｂは、図７Ｂ−Ｂ断面図解図であり、図９Ｃは、図７Ｃ−Ｃ断面図解図である。図１０は、開き始めた状態における綴具の正面図解図であり、図１１は、開き始めた状態における綴具の背面図解図である。図１２Ａは、図１０Ａ−Ａ部分断面図解図であり、図１２Ｂは、図１０Ｂ−Ｂ断面図解図であり、図１２Ｃは、図１０Ｃ−Ｃ断面図解図である。図１３は、手帳のリーフの開き方を示す平面図解図であり、（Ａ）は閉じた状態の図で、（Ｂ）は半分捲った状態の図で、（Ｃ）は３６０度捲った状態の図である。図１４は、綴具の説明図であり、図１５は、手帳の説明図であり、（Ａ）は全体の図であり、（Ｂ）はリーフの図である。
この発明の綴具１０は、複数の綴杆部１２と、前記綴杆部１２を連結する軸受部１４と、前記綴杆部１２を連結して前記綴杆部１２を構成する第１綴杆２０及び第２綴杆３０を開閉させるときの中心となる軸部１６とを備える綴具１０であって、綴杆部１２を捩って閉じている綴杆部１２を開くことができるように構成されている。
この綴具１０は、主として、一般的にセルリング式ノートと称されるノートに類似した手帳用として構成され、綴具１０の綴杆部１２に沿ってリーフ１１０を回転させて３６０度広げること、すなわち綴杆部１２に綴じられたリーフ１１０を綴杆に沿って捲り、３６０度捲りかえし、閉じたときに両端にあるリーフ１１０の表側と裏側とが軸受部１４及び軸部１６を挟んで接し合うことができるように、構成されている。
通常、綴じ穴のある筆記する用紙の表側及び裏側に該用紙よりも比較的硬質の表紙が積層されており、この明細書及び特許請求の範囲においては、リーフ１１０の表側及び裏側には、用紙、合成樹脂製ポケット等の表面側の表表紙の表側と裏面側の裏表紙の裏側とを含まれる。
【００１０】
綴具１０は、第１綴具部材１８Ａと第２綴具部材１８Ｂとから構成されており、第１綴具部材１８Ａと第２綴具部材１８Ｂとは、綴具１０の長さ方向における中央を中心にした対称形であり、それぞれ、綴杆部１２，軸受部１４及び軸部１６を備えている。
【００１１】
綴杆部１２は、第１綴具部材１８Ａの第１綴杆２０と第２綴具部材１８Ｂの第２綴杆３０とを有しており、前記綴杆部１２を構成する第１綴杆２０及び第２綴杆３０は、一対の第１綴具部材１８Ａの第１綴杆２０と第２綴具部材１８Ｂの第２綴杆３０とが向き合うように、前記綴杆部１２を連結する軸受部１４及び軸部１６の各々にその長手方向に適宜な間隔をおいて、軸受部１４及び軸部１６の外側部ないし上側部から突設されている。そして、前記第１綴杆２０及び第２綴杆３０は、前記軸受部１４及び軸部１６を中心にして左右に分かれた、対称形である。
複数の第１綴杆２０は、各第１綴杆２０の間において、各第１綴杆２０の基部と連設された第１架設部４２によって、適宜な間隔をおいて、綴具１０の長手方向に並列されている。
複数の第２綴杆３０は、各第２綴杆３０の間において、各第２綴杆３０の基部と連設された第２架設部４４によって、適宜な間隔をおいて、綴具１０の長手方向に並列されている。
【００１２】
前記軸受部１４は、第１綴具部材１８Ａの第１軸受部５０と第２綴具部材１８Ｂの第２軸受部６０とを有しており、第１軸受部５０と第２軸受部６０とは、綴具１０の長さ方向の中央を中心にして対称形である。第１軸受部５０及び第２軸受部６０は、向こう側から手前側に連続して長手方向に直線状にのびる、中実半円筒状で断面略Ｃ字状であり、第１軸受部５０は、第１綴杆２０に連続して一体的に形成され、第２軸受部６０は、第２綴杆３０に連続して一体的に形成されている。
【００１３】
前記軸受部１４は、綴杆部１２に綴じられたリーフ１１０を第１綴杆２０及び第２綴杆３０に沿って捲り、３６０度捲りかえし、閉じたときに両端にあるリーフ１１０の表側と裏側とが軸受部１４を挟んで接し合うことができるように、下部において、第１綴杆２０及び第２綴杆３０の基部と近接した位置にて連設されている。
前記軸受部１４は、綴杆ののびる方向と直交する方向にのびる長さと綴杆ののびる方向に連続する太さとを有し、綴杆部１２に綴じられたリーフ１１０を綴杆部１２に沿って捲り、３６０度捲りかえし、閉じたときに両端にあるリーフ１１０の表側と裏側とが軸受部１４を挟んで接し合うことができるように構成されている。すなわち、第１軸受部５０は、第１綴杆２０の基部に連設され、第２軸受部６０は、第２綴杆３０の基部に連設され、且つ第１軸受部５０は、複数の第１綴杆２０を連結するように、複数の第１綴杆２０に架設され、第２軸受部６０は、複数の第２綴杆３０を連結するように、複数の第２綴杆３０に架設されている。
第１軸受部５０は、軸部１６を装填するための第１軸受部５０の開口部５２を半割杆２０Ａとは反対側の側面に形成されており、且つ第２軸受部６０は、第２軸受部６０の開口部６２を半割杆３０Ａとは反対側の側面に形成されている。そして、第１軸受部５０は、前記開口部５２に続く内面が円弧状の軸受凹部５４を形成され、第２軸受部６０は、開口部６２に続く内面が円弧状の軸受凹部６４を形成されている。
【００１４】
第１綴具部材１８Ａは、第１綴杆２０の基部に連設された第１受け部８０を有し、第２綴具部材１８Ｂは、第２綴杆３０の基部に連設された第２受け部９０を有している。綴杆部１２の基部に連設された第１受け部８０と綴杆部１２の基部に連設された第２受け部９０との間に形成された収容部８２に、前記軸部１６の長手方向に圧縮し且つ弾発力をかける弾発部材１０２が介装されている。そして、前記第１受け部８０及び第２受け部９０並びに弾発部材１０２は、前記第１綴杆２０と第２綴杆３０の先端を合わせて閉鎖するとき及び第１綴杆２０と第２綴杆３０の先端を離間させるときに回転中心となる。
【００１５】
前記軸受部１４並びに第１受け部８０及び第２受け部９０の輪郭は、略々同一で、前記第１綴杆２０と第２綴杆３０の先端を合わせて閉鎖するとき及び第１綴杆２０と第２綴杆３０の先端を離間させるときに回転中心となる。そして、軸受部１４並びに第１受け部８０及び第２受け部９０は、綴杆部１２に綴じられたリーフ１１０を第１綴杆２０又は第２綴杆３０に沿って捲り、３６０度捲りかえすことができるように構成されている。
【００１６】
前記軸部１６は、第１綴杆２０及び第２綴杆３０ののびる方向に直交する方向にのびる長さと第１綴杆２０及び第２綴杆３０ののびる方向に連続する太さとを有し、長手方向に連続する輪郭の一部が円弧状で、第１綴杆２０及び第２綴杆３０の基部と連設され且つ複数の第１綴杆２０及び第２綴杆３０を連設するように複数の第１綴杆２０及び第２綴杆３０に架設されている。
軸部１６は、第１綴具部材１８Ａの第１軸部１２０と第２綴具部材１８Ｂの第２軸部１３０とを有しており、第１軸部１２０と第２軸部１３０とは、綴具１０の長さ方向の中央を中心にして対称形である。
第１軸部１２０及び第２軸部１３０は、向こう側から手前側に連続して長手方向に直線状にのびる中実柱状で断面略真円状であり、第１軸部１２０は第１綴杆２０に連続して一体的に形成され、第２軸部１３０は第２綴杆３０に連続して一体的に形成されている。
軸部１６を構成する第１綴具部材１８Ａの第１軸部１２０は、該円弧状の領域において、前記第２綴具部材１８Ｂの第２軸受部６０の開口部６２から軸受部１４の内面が円弧状で長手方向にのびる軸受凹部６４に揺動自在に嵌合され、第２綴具部材１８Ｂの第２軸部１３０は、該円弧状の領域において、前記第１綴具部材１８Ａの第１軸受部５０の開口部５２から軸受部１４の内面が円弧状で長手方向にのびる軸受凹部５４に揺動自在に嵌合されている。
軸部１６（第１軸部１２０と第２軸部１３０）は、前記軸受部１４（第１軸受部５０と第２軸受部６０）の長手方向にのびて、左右に分かれた一対の第１綴具部材１８Ａの第１軸受部５０と第２綴具部材１８Ｂの第２軸受部６０とを長さ方向に直線状に並んだ状態で連結し、前記第１綴杆２０の自由端２０ｂと第２綴杆３０の自由端３０ｂとを合わせて閉鎖するとき及び第１綴杆２０の自由端２０ｂと第２綴杆３０の自由端３０ｂとを離間させるときに回転中心となり、綴杆部１２に綴じられたリーフ１１０を第１綴杆２０及び第２綴杆３０に沿って捲り、３６０度捲りかえすことができるように構成されている。
【００１７】
この実施の形態においては、第１綴杆２０，第１軸受部５０，第１受け部８０及び第１軸部１２０は、第１綴具部材１８Ａに形成され、第２綴杆３０，第２軸受部６０，第２受け部９０及び第２軸部１３０は、第２綴具部材１８Ｂに形成され、第１綴具部材１８Ａと第２綴具部材１８Ｂとは、綴具１０の長さ方向の中央を中心にして対称形に形成されている。
【００１８】
第１綴具部材１８Ａの第１軸受部５０は、手前側の第１軸受部５０ａと中間の第１軸受部５０ｂとに分かれて形成されており、第１綴具部材１８Ａの第１受け部８０は、手前側の第１軸受部５０ａと中間の第１軸受部５０ｂとの間に形成されている。
第１綴具部材１８Ａの第１軸部１２０は、向こう側の第１軸部１２０ａと中間の第１軸部１２０ｂとに分かれて形成されている。そして、向こう側の第１軸部１２０ａは、中間の第１軸受部５０ｂから向こう側に連続して形成されており、中間の第１軸部１２０ｂは、第１受け部８０から手前側に連続して形成されている。
第２綴具部材１８Ｂの第２軸受部６０は、向こう側の第２軸受部６０ａと中間の第２軸受部６０ｂとに分かれて形成されており、第２綴具部材１８Ｂの第２受け部９０は、向こう側の第２軸受部６０ａと中間の第２軸受部６０ｂとの間に形成されている。
第２綴具部材１８Ｂの第２軸部１３０は、手前側の第２軸部１３０ａと中間の第２軸部１３０ｂとに分かれて形成されている。そして、手前側の第２軸部１３０ａは、中間の第２軸受部６０ｂから手前側に連続して形成されており、第２軸部１３０ｂは、第２受け部９０から向こう側に連続して形成されている。
【００１９】
この実施の形態においては、第１綴具部材１８Ａは、綴杆部１２（第１綴杆２０），軸受部１４（第１軸受部５０），軸部１６（第１軸部１２０）及び第１受け部８０を合成樹脂で一体成形されてなる。また、同様に、第２綴具部材１８Ｂは、綴杆部１２（第２綴杆３０），軸受部１４（第２軸受部６０），軸部１６（第２軸部１３０）及び第２受け部９０を合成樹脂で一体成形されてなる。
前記綴杆部１２，第１綴杆２０の第１架設部４２，第２綴杆３０の第２架設部４４及び軸部１６は、中実状で、連続して一体的に形成され、且つ、前記綴杆部１２，第１綴杆２０の第１架設部４２，第２綴杆３０の第２架設部４４及び軸受部１４は、中実状で、連続して一体的に形成されている。
【００２０】
この実施の形態においては、第１綴具部材１８Ａの向こう側の第１軸部１２０ａと中間の第１軸部１２０ｂとは、長手方向に一直線状にのび、同一の太さを有する略々円柱状であり、第１綴具部材１８Ａを構成する半割杆２０Ａ及び第１架設部４２と、半割杆２０Ａ及び第１架設部４２の下側において連続して一体的に形成されており、第２綴具部材１８Ｂの手前側の第２軸部１３０ａと中間の第２軸部１３０ｂとは、長手方向に一直線状にのび、同一の太さを有する略々円柱状であり、第２綴具部材１８Ｂを構成する、半割杆３０Ａ及び第２架設部４４と、半割杆３０Ａ及び第２架設部４４の下側において連続して一体的に形成されている。
第１綴具部材１８Ａの向こう側の第１軸部１２０ａと中間の第１軸部１２０ｂとは、第２綴具部材１８Ｂの第２軸受部６０の軸受凹部６４に嵌合する形状を備えており、第２綴具部材１８Ｂの手前側の第２軸部１３０ａと中間の第２軸部１３０ｂとは、第１綴具部材１８Ａの第１軸受部５０の軸受凹部５４に嵌合する形状を備えている。
【００２１】
第１綴具部材１８Ａの第１軸受部５０は、手前側の第１軸受部５０ａの開口部５２と中間の第１軸受部５０ｂの開口部５２とが長手方向にのびる断面同一の直線状で、長手方向に一直線状に並ぶ。
第２綴具部材１８Ｂの第２軸受部６０は、向こう側の第２軸受部６０ａの開口部６２と中間の第２軸受部６０ｂの開口部６２とが長手方向にのびる断面同一の直線状で、長手方向に一直線状に並ぶ。
第１綴具部材１８Ａの向こう側の第１軸部１２０ａの向こう側の突起部７８と第１受け部８０の手前側の突起部７８とは長手方向に一直線状に並び、第２綴具部材１８Ｂの手前側の第２軸部１３０ａの手前側の突起部７６と第２受け部９０の向こう側の突起部７６とは長手方向に一直線状に並ぶ。
【００２２】
綴杆部１２は、第１綴具部材１８Ａの第１綴杆２０及び第２綴具部材１８Ｂの第２綴杆３０の軸受部１４及び軸部１６並びに第１綴具部材１８Ａの第１受け部８０及び第２綴具部材１８Ｂの第２受け部９０に連設された基部２０ａ及び基部３０ａとは反対側の自由端２０ｂ及び自由端３０ｂに、第１綴具部材１８Ａの第１綴杆２０及び第２綴具部材１８Ｂの第２綴杆３０を閉鎖したときに係止するための綴杆係止部を形成されている。
すなわち、第１綴具部材１８Ａの第１綴杆２０は、基部２０ａとは反対側の頂部である自由端２０ｂに第１綴杆の綴杆係止部２２を形成され、第２綴具部材１８Ｂの第２綴杆３０は、基部３０ａとは反対側の頂部である自由端３０ｂに第２綴杆の綴杆係止部３２を形成されている。
綴杆部１２は、基部２０ａ及び基部３０ａから頂部に至る高さ方向（垂直方向）と、第１綴杆２０の外周部（外側部）から第２綴杆３０の外周部（外側部）に至る幅方向（水平方向）とを備え、第１綴杆２０及び第２綴杆３０の厚さ（外周部と内周部との間の長さ）よりも、綴具の長さ方向における第１綴杆２０及び第２綴杆３０の幅の方が長い、断面長方形状である。そして、第１綴杆２０及び第２綴杆３０は、基部２０ａ及び基部３０ａから頂部に至るまで、リーフ１１０を捲ることができるように、リーフ１１０の綴じ穴１１２に貫挿される形状に構成されている。
前記第１綴具部材１８Ａの第１綴杆の綴杆係止部２２及び第２綴具部材１８Ｂの第２綴杆の綴杆係止部３２は、係止する第１綴具部材１８Ａの第１綴杆２０及び第２綴具部材１８Ｂの第２綴杆３０の回転方向と交差する方向に、すなわち軸部１６の長手方向に第１綴具部材１８Ａの第１綴杆２０及び第２綴具部材１８Ｂの第２綴杆３０を相対移動して、第１綴具部材１８Ａの第１綴杆２０及び第２綴具部材１８Ｂの第２綴杆３０の先端を合わせて閉鎖するときに係止し又は第１綴具部材１８Ａの第１綴杆２０及び第２綴具部材１８Ｂの第２綴杆３０の先端を離間させるときに脱係するように形成されている。
【００２３】
第１綴具部材１８Ａの第１綴杆２０は、閉じたときに略円環状の綴杆となるように、半円弧状の半割杆２０Ａから構成され、第２綴具部材１８Ｂの第２綴杆３０は、閉じたときに略円環状の綴杆となるように、半円弧状の半割杆３０Ａから構成され、第１綴具部材１８Ａの第１綴杆２０と第２綴具部材１８Ｂの第２綴杆３０とは対向するように構成されている。
そして、リーフ１１０に予め穿設された綴じ穴１１２に挿通して、リーフ１１０を綴じることができるように、半割杆２０Ａと半割杆３０Ａとの先端、すなわち第１綴杆２０及び第２綴杆３０の頂部において、綴杆係止部２２，３２が形成されている。
第１綴杆２０を構成する半割杆２０Ａと第２綴杆３０を構成する半割杆３０Ａとは、半割杆２０Ａの第１綴杆の綴杆係止部２２と、半割杆３０Ａの第２綴杆の綴杆係止部３２とを係止することにより、略円環状に連結される。
そして、綴杆部１２を開くときにおいては、第１綴杆２０と第２綴杆３０とは、その第１綴杆の綴杆係止部２２及び第２綴杆の綴杆係止部３２を指で捩ることにより、係止された第１綴杆の綴杆係止部２２及び第２綴杆の綴杆係止部３２を外すことができるように構成されている。
【００２４】
第１綴杆２０を構成する半割杆２０Ａの先端に形成された第１綴杆の綴杆係止部２２を構成する先端の第１綴杆の凸部２４及びその第１綴杆の凸部２４に続く第１綴杆の凹部２６と、第２綴杆３０を構成する半割杆３０Ａの第２綴杆の綴杆係止部３２を構成する先端の第２綴杆の凸部３４及びその先端の第２綴杆の凸部３４に続く第２綴杆の凹部３６とは、第１綴杆２０と第２綴杆３０とを閉じたとき係合するように逆方向に向けて突き出しあるいは凹み形成されている。
すなわち、第１綴杆２０を構成する半割杆２０Ａの先端に形成された第１綴杆の綴杆係止部２２を構成する第１綴杆の凸部２４は、手前側に向けて突き出されている。そして、その第１綴杆の凸部２４に続く第１綴杆の凹部２６は、向こう側に向けて凹んでいる。半割杆３０Ａの先端に形成された第２綴杆の綴杆係止部３２を構成する第２綴杆の凸部３４は、向こう側に向けて突き出されている。そして、その先端の第２綴杆の凸部３４に続く第２綴杆の凹部３６は、手前側に向けて凹んでいる。
第１綴杆２０と第２綴杆３０とを閉じたとき係合するように、第１綴杆の凸部２４及び第１綴杆の凹部２６と第２綴杆の凸部３４及び第２綴杆の凹部３６とは、逆方向に向けて突き出しあるいは凹み形成されている。
半割杆２０Ａの第１綴杆の綴杆係止部２２を構成する第１綴杆の凸部２４と半割杆３０Ａの第２綴杆の綴杆係止部３２を構成する第２綴杆の凸部３４とは、反対方向に向けて突き出し設けられている。
また、半割杆２０Ａの第１綴杆の綴杆係止部２２を構成する第１綴杆の凹部２６と半割杆３０Ａの第２綴杆の綴杆係止部３２を構成する第２綴杆の凹部３６とは、反対方向に向けて凹み形成されている。
【００２５】
前記第１綴杆の綴杆係止部２２及び第２綴杆の綴杆係止部３２は、第１綴杆２０及び第２綴杆３０の回転方向及び回転方向と交差する方向に脱係しないように、第１綴杆２０及び第２綴杆３０の回転方向と交差する方向にのびる脱係防止部２８及び脱係防止部３８が形成されている。
脱係防止部２８は、頂部側において手前側に向けて突き出る鉤鼻状係止凸部２８ａと、基部２０ａ側において向こう側に向けて凹む係止凹部２８ｂとを有し、自由端側の係止凸部２８ａから続いて基部２０ａ側に係止凹部２８ｂが形成されている。
脱係防止部３８は、頂部側において向こう側に向けて突き出る鉤鼻状係止凸部３８ａと、基部３０ａ側において手前側に向けて凹む係止凹部３８ｂとを有し、自由端側の係止凸部３８ａから続いて基部３０ａ側に係止凹部３８ｂが形成されている。
第１綴杆２０と第２綴杆３０とを閉じたとき、脱係防止部２８の係止凸部２８ａは脱係防止部３８の係止凹部３８ｂに嵌合され、脱係防止部３８の係止凸部３８ａは脱係防止部２８の係止凹部２８ｂに嵌合され、係止凸部２８ａと係止凸部３８ａとは、第１綴杆２０と第２綴杆３０とを回転方向に引いたときに、突き当たる。
第１綴杆の綴杆係止部２２の脱係防止部２８は、第２綴杆の綴杆係止部３２の上部に向けて突き出され、第１綴杆の綴杆係止部２２と第２綴杆の綴杆係止部３２とを係合したときに、第２綴杆３０が上方に向けて衝撃などにより移動することを防止している。
第２綴杆の綴杆係止部３２の脱係防止部３８は、第１綴杆の綴杆係止部２２の上部に向けて突き出され、第１綴杆の綴杆係止部２２と第２綴杆の綴杆係止部３２とを係合したときに、第１綴杆２０が上方に向けて衝撃などにより移動することを防止している。
このように、この実施の形態においては、第１綴杆２０及び第２綴杆３０の頂部を指でねじることにより、第１綴具部材１８Ａの第１綴杆２０を向こう側に移動させ且つ第２綴具部材１８Ｂの第２綴杆３０を手前側に移動させて、第１綴杆２０の半割杆２０Ａの第１綴杆の綴杆係止部２２と第２綴杆３０の半割杆３０Ａの第２綴杆の綴杆係止部３２との係合を外すことができる。
なお、閉じるときにおいては、脱係防止部２８の係止凸部２８ａと脱係防止部３８の係止凸部３８ａとは、突き出たり滑りながら係止凹部３８ｂ及び係止凹部２８ｂに嵌まるように、なだらかな傾斜面が自由端から形成されている。
【００２６】
第１綴具部材１８Ａの第１架設部４２は、第１架設部４２と第２綴具部材１８Ｂの第２架設部４４とが向き合う領域である第１架設部４２の対向部４２ａを備える。
第２綴具部材１８Ｂの第２架設部４４は、第１綴具部材１８Ａの第１架設部４２と第２架設部４４とが向き合う領域である第２架設部４４の対向部４４ａを備える。
この実施の形態においては、第１架設部４２及び第２架設部４４は、略四角柱状である。
そして、第１綴具部材１８Ａの第１架設部４２の対向部４２ａと第２綴具部材１８Ｂの第２架設部４４の対向部４４ａとは、回転方向と略々直交し綴具１０を閉じたときに垂直にすなわち高さ方向にのびる平面であって、図２及び図９に示すように綴具１０を閉じたときに密着するように形成されている。
【００２７】
前記軸受部１４は、その側面に、第１綴杆２０及び第２綴杆３０の開き角度をリーフ１１０の挿入し易い角度、例えば約６０〜７０度に規制するための第１の開き角規制部７０及び第２の開き角規制部７２を形成されている。
第１の開き角規制部７０は、第１綴具部材１８Ａの第１軸受部５０の開口部５２の口縁部の接合面５２ａと第２綴具部材１８Ｂの第２架設部４４の下端の接合面４４ｂとから構成され、一方、第２の開き角規制部７２は、第２綴具部材１８Ｂの第２軸受部６０の開口部６２の口縁部の接合面６２ａと第１綴具部材１８Ａの第１架設部４２の下端の接合面４２ｂとから構成されている。
そして、綴杆部１２を閉じたときに、第１綴具部材１８Ａの第１の開き角規制部７０の接合面５２ａと第２綴具部材１８Ｂの第１の開き角規制部７０の接合面４４ｂとは、図９において示すように、略７０度開いた傾斜面であって対向しており、綴杆部１２を開いたときに、第１綴具部材１８Ａの第１の開き角規制部７０の接合面５２ａと第２綴具部材１８Ｂの第１の開き角規制部７０の接合面４４ｂとは、図１２において示すように、接し合い、半割杆２０Ａと半割杆３０Ａの開き角度を、リーフ１１０の挿入しや易い角度に規制する。
また、綴杆部１２を閉じたときに、第２綴具部材１８Ｂの第２の開き角規制部７２の接合面６２ａと第１綴具部材１８Ａの第２の開き角規制部７２の接合面４２ｂとは、図９において示すように、略７０度開いた傾斜面であって対向しており、綴杆部１２を開いたときに、第２綴具部材１８Ｂの第２の開き角規制部７２の接合面６２ａと第１綴具部材１８Ａの第２の開き角規制部７２の接合面４２ｂとは、図１２において示すように、接し合い、半割杆２０Ａと半割杆３０Ａの開き角度を、リーフ１１０の挿入しや易い角度に規制する。
【００２８】
軸部１６並びに第１受け部８０及び第２受け部９０は、閉じられた第１綴杆２０及び第２綴杆３０の開くことを阻止する軸部回転規制部７４を端部に形成されている。
前記軸部回転規制部７４は、第２綴具部材１８Ｂの手前側の第２軸部１３０ａの手前側に形成された突起部７６と第１綴具部材１８Ａの第１軸受部５０の手前側に切り欠き形成された規制凹部５６及び第１綴具部材１８Ａの向こう側の第１軸部１２０ａの向こう側に形成された突起部７８と第２綴具部材１８Ｂの第２軸受部６０の向こう側に切り欠き形成された規制凹部６６とから構成されており、第２綴具部材１８Ｂの突起部７６と第１綴具部材１８Ａの規制凹部５６と及び第１綴具部材１８Ａの突起部７８と第２綴具部材１８Ｂの規制凹部６６とは、綴杆部１２が閉じられたときに綴杆部１２の開く方向とは反対側の端縁に係止される面を備えている。
第１綴具部材１８Ａの突起部７８は、半割杆２０Ａ側に、第２綴具部材１８Ｂの規制凹部６６の対向部と係止される（綴具１０の長さ方向にのびる）平面を備えており、第１綴具部材１８Ａの規制凹部５６の対向部は、半割杆２０Ａ側に、第２綴具部材１８Ｂの突起部７６と係止される（綴具１０の長さ方向にのびる）平面を有している。
また、第２綴具部材１８Ｂの突起部７６は、半割杆３０Ａ側に、第１綴具部材１８Ａの規制凹部５６の対向部と係止される（綴具１０の長さ方向にのびる）平面を備えており、第２綴具部材１８Ｂの規制凹部６６の対向部は、半割杆３０Ａ側に、第１綴具部材１８Ａの突起部７８と係止される（綴具１０の長さ方向にのびる）平面を備えている。
更に、他の突起部７６は、第２綴具部材１８Ｂの軸部１６（第２軸部１３０ｂ）の手前側と第２受け部９０の向こう側に軸部１６（第２軸部１３０ｂ）と略々同じ幅と略々同じで、中間の第１軸受部５０ｂの規制凹部５６よりわずかに短い長さを有して突設され、他の突起部７８は、第１綴具部材１８Ａの軸部１６（第１軸部１２０ｂ）の向こう側と第１受け部８０の手前側に軸部１６（第１軸部１２０ｂ）と略々同じ幅と略々同じで、中間の第２軸受部６０ｂの規制凹部６６よりわずかに短い長さを有して突設されている。
第１受け部８０の突起部７８の手前側端と中間の第２軸受部６０ｂの向こう側端とは、綴杆部１２を閉鎖したときに隙間があいており、第２受け部９０の突起部７６の向こう側端と中間の第１軸受部５０ｂの手前側端とは、綴杆部１２を閉鎖したときに隙間があいている。
而して、綴杆部１２を閉じたときに、第１綴具部材１８Ａの突起部７８及び規制凹部５６の対向部の平面と第２綴具部材１８Ｂの突起部７６及び規制凹部６６の対向部の平面と接し合い、第１綴具部材１８Ａと第２綴具部材１８Ｂとを幅方向に引き離す力、綴杆部１２の径方向に引き離す力が働いても、第１綴具部材１８Ａの半割杆２０Ａと第２綴具部材１８Ｂの半割杆３０Ａとは離れない。
綴杆部１２を開くときには、向こう側の第２軸受部６０ａの規制凹部６６と突起部７８とは長さ方向に摺動し、手前側の第１軸受部５０ａの規制凹部５６と突起部７６とは長さ方向に摺動して、且つ第１受け部８０の突起部７８と中間の第２軸受部６０ｂの規制凹部６６とは摺動し、第２受け部９０の突起部７６と中間の第１軸受部５０ｂの規制凹部５６とは摺動する。而して、第１綴具部材１８Ａと第２綴具部材１８Ｂとは、綴具１０の長さ方向に相対移動させることができ、第１綴杆２０と第２綴杆３０とを綴具１０の幅方向に開くことができる。
【００２９】
第１綴具部材１８Ａと第２綴具部材１８Ｂとは、図６Ａに示すように対称形に形成されており、分離されている第１綴具部材１８Ａと第２綴具部材１８Ｂとは、図６Ｂに示すように、第１綴具部材１８Ａの突起部７８の手前側に第２綴具部材１８Ｂの向こう側の第２軸受部６０ａの向こう側の先端を位置させ且つ第２綴具部材１８Ｂの突起部７６の向こう側に手前側の第１軸受部５０ａの手前側の先端を位置させて、第１綴具部材１８Ａの手前側の第１軸受部５０ａの開口部５２及び中間の第１軸受部５０ｂの開口部５２より第２綴具部材１８Ｂの手前側の第２軸部１３０ａ及び中間の第２軸部１３０ｂを嵌入させ且つ第２綴具部材１８Ｂの向こう側の第２軸受部６０ａの開口部６２及び中間の第２軸受部６０ｂの開口部６２より第１綴具部材１８Ａの向こう側の第１軸部１２０ａ及び中間の第１軸部１２０ｂを嵌入させて、第１綴具部材１８Ａと第２綴具部材１８Ｂとを結合する。
それとともに、第１綴具部材１８Ａと第２綴具部材１８Ｂとは、第１綴杆２０と第２綴杆３０とを開閉するときに半割杆２０Ａと半割杆３０Ａとを綴具１０の長さ方向に相対変移するように、軸部１６を軸受部１４に摺動自在に装填されている。
第１綴具部材１８Ａ及び第２綴具部材１８Ｂは、第１綴具部材１８Ａ側の第１軸受部５０に第２綴具部材１８Ｂの第２軸部１３０を嵌合され且つ第２綴具部材１８Ｂ側の第２軸受部６０に第１綴具部材１８Ａの第１軸部１２０を嵌合されたときに、対向する第１受け部８０と第２受け部９０との間に、収容部８２を形成されている。
収容部８２は、弾発部材１０２を装填され、該弾発部材１０２は、第１受け部８０を手前側に押し且つ第２受け部９０を向こう側に押して、第１綴具部材１８Ａの半割杆２０Ａと第２綴具部材１８Ｂの半割杆３０Ａとを強く係止させる。
【００３０】
そして、第１綴杆２０と第２綴杆３０とを閉鎖したときに、軸部１６の軸線上において、第１綴具部材１８Ａは、中間の第１軸受部５０ｂの手前側端面と第２綴具部材１８Ｂの第２受け部９０の向こう側端面とが接し合い、且つ、第２綴具部材１８Ｂは、中間の第２軸受部６０ｂの向こう側端面と第１綴具部材１８Ａの第１受け部８０の手前側端面とが接し合う。また、第１綴杆２０と第２綴杆３０との係合を外して開いたときに、第１綴杆２０と第２綴杆３０とを、長さ方向において適宜な位置で開くようにするために、軸部１６の軸線上において、第１綴具部材１８Ａは、中間の第１軸受部５０ｂの手前側端面と第２綴具部材１８Ｂの第２受け部９０の向こう側端面とが接し合い、且つ、第２綴具部材１８Ｂは、中間の第２軸受部６０ｂの向こう側端面と第１綴具部材１８Ａの第１受け部８０の手前側端面とが接し合う。
【００３１】
また、第１綴杆２０と第２綴杆３０とを閉鎖したときに、隣接する第１綴具部材１８Ａの中間の第１軸受部５０ｂの向こう側端縁と第２綴具部材１８Ｂの向こう側の第２軸受部６０ａの手前側端縁との間及び隣接する第２綴具部材１８Ｂの中間の第２軸受部６０ｂの手前側端縁と第１綴具部材１８Ａの手前側の第１軸受部５０ａの向こう側端縁との間に適宜な間隔をあけて整列される。
（第１綴杆２０と第２綴杆３０とを閉鎖したときにおける）隣接する第１綴具部材１８Ａの中間の第１軸受部５０ｂの向こう側端縁と第２綴具部材１８Ｂの向こう側の第２軸受部６０ａの手前側端縁との間及び隣接する第２綴具部材１８Ｂの中間の第２軸受部６０ｂの手前側端縁と第１綴具部材１８Ａの手前側の第１軸受部５０ａの向こう側端縁との間における適宜な間隔とは、第１綴杆２０と第２綴杆３０とを軸受部１４の長さ方向に相対移動すなわち第２綴杆３０を手前側に向けて及び第１綴杆２０を向こう側に向けて相対移動させて、第１綴杆の綴杆係止部２２と第２綴杆の綴杆係止部３２とを脱係させるに必要な長さをいう。
【００３２】
また、隣接する第１綴具部材１８Ａの中間の第１軸受部５０ｂの手前側端縁と第２綴具部材１８Ｂの第２受け部９０の突起部７６の先端との間及び隣接する第２綴具部材１８Ｂの中間の第２軸受部６０ｂの向こう側端縁と第１綴具部材１８Ａの第１受け部８０の突起部７８の先端との間に適宜な間隔をあけて整列される。
【００３３】
この実施の形態においては、弾発部材１０２の押圧力に抗して、第１綴具部材１８Ａの第１綴杆２０を向こう側に移動させ且つ第２綴具部材１８Ｂの２綴杆３０を手前側に移動させて、閉鎖していた第１綴杆２０と第２綴杆３０とを開く。
この実施の形態においては、第１綴具部材１８Ａの手前側の第１軸受部５０ａは、第２綴具部材１８Ｂの突起部７６により手前側が塞がれている。又、第２綴具部材１８Ｂの向こう側の第２軸受部６０ａは、第１綴具部材１８Ａの突起部７８により向こう側が塞がれている。従って、向こう側の第１軸部１２０ａの向こう側端は、向こう側の突起部７８により向こう側の第２軸受部６０ａから抜け出ることを防止され、手前側の第２軸部１３０ａの手前側端は、手前側の突起部７６により手前側の第１軸受部５０ａから抜け出ることを防止される。
【００３４】
前記軸受部１４，第１受け部８０及び第２受け部９０の幅（幅方向における）は、第１綴具部材１８Ａの第１架設部４２と第２綴具部材１８Ｂの第２架設部４４とを合わせた幅（幅方向における）と同等又はそれ以下である。又、軸部回転規制部７４の領域の幅、すなわち、手前側の第１軸受部５０ａの対向部領域の幅と突起部７６との幅の和及び向こう側の第２軸受部６０ａの対向部領域の幅と突起部７８の幅との和は、第１架設部４２の幅と第２架設部４４の幅を合わせた幅と同様又はそれ以下である。
これは、軸受部１４及び軸部回転規制部７４の幅が、第１架設部４２の幅と第２架設部４４の幅とを合わせた幅と同等又はそれ以下の方が、リーフ１１０を３６０度捲りかえして、軸部１６及び軸部回転規制部７４を挟んでリーフ１１０の表面と裏面とを比較的間隔をあけずに接し合わせることができるようにするためである。
【００３５】
綴具１０の中央あたりに存する前記第１綴具部材１８Ａの第１受け部８０と第２綴具部材１８Ｂの第２受け部９０との間に形成された収容部８２に、前記軸部１６の長手方向にテンションをかける弾発部材１０２が、圧縮された状態で介装されている。弾発部材１０２は、鋼線をコイル形に巻いて作られたコイルバネにより形成され、筒形のコイルバネの輪の中に第１受け部８０から収容部８２側に突設された弾発部材固定凸部８４と第２受け部９０から収容部８２側に突設された弾発部材固定凸部９４とを挿通されている。
そして、弾発部材１０２は、その向こう側端が第２綴具部材１８Ｂの第２受け部９０の手前側端に接し、その手前側端が第１綴具部材１８Ａの第１受け部８０の向こう側端に接して、復元力（均一な）によって第１綴具部材１８Ａを手前側に押し下げ且つ第２綴具部材１８Ｂを向こう側に押し上げるように構成されている。
而して、弾発部材１０２は、綴杆部１２を閉じているときには、第１綴杆の綴杆係止部２２と第２綴杆の綴杆係止部３２とを係合させる方向に作用している。
その第１綴杆の綴杆係止部２２及び第２綴杆の綴杆係止部３２を指で捩ることにより、係止された第１綴杆の綴杆係止部２２及び第２綴杆の綴杆係止部３２を外すときには、弾発部材１０２の弾発力に抗して第１綴具部材１８Ａの第１綴杆２０を向こう側に移動させ且つ第２綴具部材１８Ｂの２綴杆３０を手前側に移動させて、閉じていた第１綴杆２０と第２綴杆３０とを開く。更に、第１綴杆２０と第２綴杆３０とは、幅方向において外側に（すなわち、第１綴杆２０を左側（表側）に回転させ、且つ第２綴杆３０を右側（裏側）に）、回転させて、リーフ１１０を綴じたり外したりし易くすることができる。
【００３６】
綴具１０は、第１綴杆２０及び第２綴杆３０に、リーフ１１０の高さ方向に適宜な間隔をあけて連続して設けられた綴じ穴１１２を貫挿し、リーフ１１０の高さ方向にのびる綴じ代側端縁１１４の側に軸部１６を位置させ、綴じ穴１１２と綴じ代側端縁１１４との間に第１綴杆２０及び第２綴杆３０が架け渡されるようにして、リーフ１１０を綴じ、手帳を形成する。
綴具１０は、綴具１０の長さ方向が、幅方向にのびる端縁に綴じ穴１１２を形成したリーフ１１０の幅方向にのびるように、リーフ１１０を綴じて、手帳を形成してもよい。
【００３７】
綴具１０に綴じられたリーフ１１０は、図１３において示すように、軸部１６側に向けて捲りかえされ、閉じられて積層されていたときのリーフの表側１１０ａとリーフの裏側１１０ｂとを軸部１６を挟んで接し合わせるようにして、筆記等に用いることができる。
【００３８】
この発明の実施の形態によれば、綴杆部１２及び軸受部１４は、一対の第１綴具部材１８Ａ及び第２綴具部材１８Ｂの各々に形成され、前記綴杆部１２を構成する綴杆２０，３０は、第１綴具部材１８Ａ側の第１綴杆２０と第２綴具部材１８Ｂ側の第２綴杆３０とが向き合うように、前記軸受部１４の長手方向に適宜な間隔をおいて、軸受部１４の外側部ないし上側部から突設されているので、綴杆部１２を開いたときに綴杆部１２の最下部が例えば机の天板等の表面に接地して水平安定し易く、且つ綴杆部１２を適宜な角度に開き易い。
この発明の実施の形態によれば、綴杆部１２は、前記軸部１６を中心にして左右に分かれた、対称形である第１綴杆２０及び第２綴杆３０を備え、前記軸受部１４は、前記軸部１６を中心にして左右に分かれた、対称形である第１軸受部５０及び第２軸受部６０を備えているので、同一の金型で左右の部材を成形することができ、製造がし易い。
この発明の実施の形態によれば、第１架設部４２と第２架設部４４とは、回転方向と直交し綴具１０を閉じたときに垂直にすなわち高さ方向にのびる平面であって、綴具１０を閉じたときに密着するように形成すれば、綴具１０を閉じたときに第１綴杆の綴杆係止部２２と第２綴杆の綴杆係止部３２との係合状態を安定的に保つことができ、綴杆部１２を構成する第１綴杆２０と第２綴杆３０とにより構成される円環状の径を縮むように作用することを少なくすることができる。
この発明の実施の形態によれば、向こう側の第２軸受部６０ａと中間の第１軸受部５０ｂ及び手前側の第１軸受部５０ａと中間の第２軸受部６０ｂとは、前記軸部１６の長手方向に間欠的に形成され、綴杆部１２が前記軸部１６を中心にして回転し且つ綴杆部１２を開閉するときに長手方向に相対変移するように形成されているので、複数の綴杆２０，３０で構成される綴杆部１２を一度に開閉させることができる。
この発明の実施の形態によれば、軸部１６は、断面略々円形の棒状であり、前記軸受部１４は、全体が弧状で、その内側の円弧部に前記軸部１６を装填され、且つ、前記綴杆２０，３０の張り出し方向とは反対方向に張り出すように、前記軸受部１４が連設されているので、複数の綴杆２０，３０で構成される綴杆部１２を一度に開閉させることができ、且つ、綴杆部１２の最下部が例えば机の天板等の表面に接地して水平に安定し易く、且つ綴杆部１２を適宜な角度に開き易い。
この発明の実施の形態によれば、綴杆２０，３０の基部２０ａ，３０ａは、軸受部１４の下部と同じ位置に、下部が位置するように形成されているので、綴杆部１２を開いたときに綴杆部１２の最下部が例えば机の天板等の表面に接地して水平に安定し易く、且つ綴杆部１２を適宜な角度に開き易い。
この発明の実施の形態によれば、軸受部１４，第１受け部８０及び第２受け部９０の幅は、第１架設部４２の幅と第２架設部４４の幅との和と同等又はそれ以下であるので、第１架設部４２及び第２架設部４４の幅よりはみ出すことがなく、リーフ１１０を綴杆２０，３０に沿って捲り、３６０度開いたときにリーフ１１０の表側と裏側との間の隙間が少なく、比較的平坦となり、筆記もし易い。
この発明の実施の形態によれば、綴杆係止部２２，３２は、綴杆２０，３０の回転方向において係止及び脱係するように、第１綴杆２０の凸部２４及び凹部２６と第２綴杆３０の凹部３６及び凸部３４とが係合するように構成され、且つ、綴杆部１２を閉じたとき、綴杆２０，３０の回転方向及び回転方向と交差する方向に脱係しないように綴杆２０，３０の回転方向と交差する方向にのびる脱係防止部２８，３８が形成されているので、綴杆２０，３０の回転方向及び回転方向と交差する方向に、閉じられた綴杆の綴杆係止部２２，３２が脱係しにくい。
【００３９】
この発明の実施の綴具１０は、その綴杆部１２に、リーフ１１０の綴じ穴１１２を貫挿させて綴じられた、手帳を構成でき、又、表表紙と裏表紙と背表紙とを備えた表紙に固定して、ファイル・バインダ類を構成できる。
【００４０】
この発明は、前記実施の形態に限らず、この発明の思想に基づき種々変更することができる。
前記実施の形態においては、８穴用のリーフ１１０を綴じるように、８本の綴杆で構成されていたが、それ以下又はそれ以上の多穴のリーフを綴じることができるように綴杆の数を変更してもよい。
【産業上の利用可能性】
【００４１】
この発明にかかる綴具は、手帳類のほか、ファイル・バインダ類を構成する表紙の背表紙領域の内側に固定して、用いることができ、又、単独で用いてもよい。
【符号の説明】
【００４２】
１０  綴具
２０Ａ，３０Ａ  半割杆
１２  綴杆部
１４  軸受部
１６  軸部
１８Ａ  第１綴具部材
１８Ｂ  第２綴具部材
２０  第１綴杆
２０ａ，３０ａ  基部
２０ｂ  自由端
２２  第１綴杆の綴杆係止部
２４  第１綴杆の凸部
２６  第１綴杆の凹部
２８  脱係防止部
２８ａ，３８ａ  係止凸部
２８ｂ，３８ｂ  係止凹部
３０  第２綴杆
３０ｂ  自由端
３２  第２綴杆の綴杆係止部
３４  第２綴杆の凸部
３６  第２綴杆の凹部
３８脱係防止部
４２  第１架設部
４２ａ，４４ａ  対向部
４２ｂ，４４ｂ  接合面
４４  第２架設部
５０  第１軸受部
５０ａ  手前側の第１軸受部
５０ｂ  中間の第１軸受部
５２，６２  開口部
５２ａ，６２ａ  接合面
５４，６４  軸受凹部
５６，６６  規制凹部
６０  第２軸受部
６０ａ  向こう側の第２軸受部
６０ｂ  中間の第２軸受部
７０  第１の開き角規制部
７２  第２の開き角規制部
７４  軸部回転規制部
７６，７８  突起部
８０  第１受け部
８２  収容部
９０  第２受け部
１０２  弾発部材
１１０  リーフ
１１２綴じ穴
１２０  第１軸部
１２０ａ  向こう側の第１軸部
１２０ｂ  中間の第１軸部
１３０  第２軸部
１３０ａ  手前側の第２軸部
１３０ｂ  中間の第２軸部
【図１】
0005525581.tif 000002
【図２Ａ】
0005525581.tif 000003
【図２Ｂ】
0005525581.tif 000004
【図３】
0005525581.tif 000005
【図４】
0005525581.tif 000006
【図５】
0005525581.tif 000007
【図６Ａ】
0005525581.tif 000008
【図６Ｂ】
0005525581.tif 000009
【図７】
0005525581.tif 000010
【図８】
0005525581.tif 000011
【図９Ａ】
0005525581.tif 000012
【図９Ｂ】
0005525581.tif 000013
【図９Ｃ】
0005525581.tif 000014
【図１０】
0005525581.tif 000015
【図１１】
0005525581.tif 000016
【図１２Ａ】
0005525581.tif 000017
【図１２Ｂ】
0005525581.tif 000018
【図１２Ｃ】
0005525581.tif 000019
【図１３】
0005525581.tif 000020
【図１４】
0005525581.tif 000021
【図１５】
0005525581.tif 000022